Podtech/llm-jp-corpus-v4-ja_patent huggingface dataset:
(57)【要約】      （修正有）【課題】お面を予想することの出来ない場所において、安価かつ簡単な準備で人をドッキリさせることができるドッキリグッズを提供する。【解決手段】窓の外側から内側を覗いているお面１と、お面１を支える支持部３と、支持部３を窓の外側に取り付けるクリップとで構成されるドッキリグッズ。【選択図】図１
2013022108.tif 000002
【特許請求の範囲】
【請求項１】
室内に居る人が窓を見た時にビックリするような人間、動物、恐竜、お化け、幽霊等の多種多様のお面の全部又は一部のお面と、このお面を支える支持部と、この支持部を建物の一部に取り付ける固定部とで構成されていることを特徴とするドッキリグッズ。
【請求項２】
手や足が画かれた絵が、請求項1に記載したお面と接合した構成になっていることを特徴とするドッキリグッズ。
【発明の詳細な説明】
【技術分野】
【０００１】
本発明は、人を驚かせるドッキリグッズに関する。
【背景技術】
【０００２】
例えばパーティ等を主催する場合、主催者は参加者達が和やかな雰囲気で過ごし、親密になるような色々な工夫をし、各人が参加したことに満足してもらうような努力をしている。和やかな雰囲気とし、新密度を増加させるためにゲームを行ったり、余興を披露してもらうこと等が一般的に行われている。しかし、これらは今日当たり前となっており、良い雰囲気作りが出来難くなっている。
【０００３】
このようなことから、人々が「アッ」と驚くような緊張感を持たせた後に、それが何だか解って、「そうか」と納得させるドッキリグッズがパーティに使用されることが多くなってきた。緊張感の後に納得して「ホッ」とすると、心が和み、雰囲気作りに役立つのである。
【０００４】
これも何回も同じようなドッキリグッズが使用されると、人々は慣れてしまい飽きてしまう。これでは雰囲気作りには役に立たない。
【発明の概要】
【発明が解決しようとする課題】
【０００５】
参加者達が和やかになり、親密度を高めるのに役立つ驚きのあるドッキリグッズは、常に新たな物を提供しなければ、飽きられてしまう。本発明はこの要求に応えるものであり、今までに無い新たな驚きのあるドッキリグッズを提供することを目的としている。
【課題を解決するための手段】
【０００６】
本発明は以上の点を解決するために次のような構成としている。
＜構成1＞
室内に居る人が窓を見た時に人々がビックリするような人間、動物、恐竜、お化け、幽霊等の多種多様のお面の全部又は一部と、このお面を支える支持部と、この支持部を建物の一部に取り付ける固定部で構成されている。
【発明の効果】
【０００７】
本発明は、準備が簡単で人々が「アッ」と驚くようなドッキリグッズを安価に提供することができる。
【図面の簡単な説明】
【０００８】
【図１】ドッキリグッズの正面図
【図２】ドッキリグッズの側面図
【図３】お面のみの裏面図
【図４】手部のみの裏面図
【図５】窓から部屋の中を覗くお面を示した図
【発明を実施するための最良の形態】
【０００９】
以下、本発明を図面を使用し詳細に説明をする。
【実施例１】
【００１０】
図1には本発明の一実施例である鼻から上の顔のお面1と、手部(手の部分が描かれた絵)2とが、支持部3により繋がれている図が描かれている。図2は、図1に示されたお面1と手部2の側面図である。お面1の裏側には、支持部3とお面1とを結合する接続部4が設けられ、手部2の裏側にも手部2と支持部3とを結合する接続部6が設けられている。また、手部2の下部には、お面1と手部2とを建物の一部に固定するクリップ6が設けられている。
【００１１】
図3はお面1のみの裏面図であり、お面1の裏面には接続部4が二つ設けられている。接続部4のほぼ中央にはこのお面1を支える支持部3を挿入することの出来る空洞(図示せず)が設けられている。この実施例では支持部3として針金を使用しているが、この支持部3の上端を接続部4に設けられている空洞に差し込むことにより、お面1と支持部3とは十分な強度で接合される。
【００１２】
図4には手部2の裏面が示されている。手部2の裏面には、手部2と支持部3とを繋ぐ接続部5が設けられており、この接続部5のほぼ中央には、お面1の裏面と同様に支持部3の下端を差し込むことが出来る空洞(図示せず)が設けられている。また、手部2の裏面には、お面1と手部2及び支持部3を建物の一部に固定するクリップ6が取り付けられている。
【００１３】
図5には手部2が窓枠を掴み、お面1が窓から部屋の中を覗いている図が示されている。図1から図4に示されている部材で、図5に示されているような使用とするかについて説明をする。お面1の接続部4に支持部3の上端を差し込み、支持部4の下端を手部2の接続部5に差し込めば、お面1、支持部3及び手部2は一体化される。この一体化されたドッキリグッズを建物の一部に固定するには、手部2に取り付けられているクリップ6を窓枠の一部に挟む事とする。これで図5に示されているように、窓から部屋の中を覗くドッキリグッズとなる。
【００１４】
以上のように構成されたドッキリグッズが窓の傍に置かれていることは、仕掛けた本人以外誰も予想出来る人はいない。仲間と話すことに夢中になっていても、時には窓の外を眺めることはある。そこに図5に示されるドッキリグッズが仕掛けてあれば、最初は「アッ」と驚いてこれを直視し、ある時間が経過した後に「そうか」と納得するのである。緊張した後に心が緩和されると、笑いとなったり、やられたという思いが残る。このことがこの場の雰囲気を和らげ、親密度を高めるのである。
【００１５】
お面1や手部3を構成する材料は、ボール紙、厚紙、薄板などを使用することができるために非常に安価に製品を提供することができる。
【００１６】
お面1を支える支持部3は、手で容易に曲げたり伸ばしたりでき、ある程度強度があるものが適している。実施例では針金を用いているが、この他樹脂で構成された線状又は面状の物であっても良い。
【００１７】
実施例で示すドッキリグッズは、そこに存在することがあり得ないものがあるから驚くのであり、恐怖感を抱かせるものではない。間近の窓の外から人が中を覗くことなど誰も予想しない。だからお面1の絵は、特別に恐怖感を抱かせるものでなく、平凡な顔の絵であっても十分にドッキリさせることができる。
【００１８】
一般にドッキリグッズは何回も繰り返し出されると飽きてしまうが、実施例で示されているお面1は画いてある絵を変えれば、まったく別物となる。従って人々が慣れて驚かなくなるようなことは生じない。
【００１９】
実施例ではパーティで使用した場合を説明したが、このドッキリグッズは友人や恋人を招いた時や、家族に対しても、雰囲気作りや親密の度合いを高めるのに有効である。
【符号の説明】
【００２０】
1・・お面
2・・手部
3・・支持部
4、5・・接続部
6・・クリップ
【図１】
2013022108.tif 000003
【図２】
2013022108.tif 000004
【図３】
2013022108.tif 000005
【図４】
2013022108.tif 000006
【図５】
2013022108.tif 000007
(57)【要約】【課題】本を開けた時、ページがバラバラになるのを防ぐため、このページ押さえ具を提供する。【解決手段】薄いものから厚いものまでスプリングでやさしく押さえ、又ページの出し入れをスムーズに出来るようにした。【選択図】図１
2013022955.tif 000002
【特許請求の範囲】
【請求項１】
押さえ具のクリップの底板をコの字形にし支点を移動し、出っ張りをなくした。
【請求項２】
螺旋状のスプリングを横にして芯棒を通し、厚いものもやわらかく押さえるようにした。
【発明の詳細な説明】
【技術分野】
【０００１】本発明は、開いた本もページがバラバラにならないようページを押さえ、又、押さえたままページを出し入れ出来るようにしたものである。
【背景技術】
【０００２】従来は、ページの文字が見えにくかったり、ページの出し入れがスムーズに出来ないという欠点があった。
【特許文献１】
【０００３】
【発明の開示】
【０００４】ページがバラバラにならない、ページの出し入れが簡単に出来るページ押さえ具を提供する。
【課題を解決するための手段】
【０００５】クリップの背に螺旋状のスプリングを付け、片方の端を伸ばし、これでページを押さえるようにした。
スプリングの径は５ｍｍ〜８ｍｍ、鋼針は０．３ｍｍ〜０．５ｍｍ位が良い。スプリングに芯棒を通し、両端はクリップに固定する。スプリングの片端も同じく固定する。（クリップに触れないよう）このクリップを本を開いて表紙側と裏表紙側の内側のページ２、３枚をまとめてクリップで各々挟んで押さえ具をおろす。あとは押さえ具の下からページをすべらせて抜き、反対側の押さえ具の下へ差し込む。
万一本が厚くて押さえ具が使えない場合は、あらかじめ裏表紙の方は本の厚みの中程度にセットする。表紙の方は途中でセットし直す。このようにすればどんなに厚い本にでも対応できるようにした。
【発明の効果】
【０００６】薄いものから厚いものまで、やわらかく押さえるのでページの出し入れがし易く、クリップの出っ張りをなくしたことでスプリングが取り付けやすく、見栄えも良くなった。
以下、発明の実施の形態について説明する。
（イ）クリップの底をコの字形にし、ページを中まで入れることにより、クリップの出っ張りをなくし、スプリングが取り付け易く、見栄えも良くなった。
【実施例１】
【０００７】
【図面の簡単な説明】
【０００８】
【図１】本発明の側面図である。
【図２】本発明の平面図である。
【符号の説明】
【０００９】１  コの字形の底板
２  螺旋状のスプリング
３  支点
４  ページの押さえ具
５  スプリングの芯棒
【図１】
2013022955.tif 000003
【図２】
2013022955.tif 000004
(57)【要約】【課題】本発明は、パラシュートが納められた袋を、一動作で、ワイヤー、引き紐で袋を開き、パラシュートは形状記憶されているパラシュート両側の張りによって、大きく広がるパラシュートを提供する。【解決手段】本発明は、パラシュート（５）をワイヤー、引き紐（４）によって、収める袋（１）を瞬時に開く、パラシュートは両側の張り（６）の蝶番（９）に形状記憶（８）されている素材を使用している事により、瞬時に広がる事を特徴とする。【選択図】図２
2013022985.tif 000002
【特許請求の範囲】
【請求項１】
パラシュート（５）は、パラシュートが納められた袋（１）を、一動作で、ワイヤー、引き紐（２）を引き開放する。パラシュートは両側の張り（６）の蝶番（９）に形状記憶（８）されている素材を使用している事により、瞬時に広がるパラシュート。
【発明の詳細な説明】
【技術分野】
【０００１】
本発明は、雪崩、滑落、の時に瞬時にパラシュートが開き、雪崩に埋まらないように、地上より浮き上がる装置。また滑落の際も同様に、瞬時にパラシュートが開き落下のダメージを和らげるパラシュートに関するものである。
【背景技術】
【０００２】
従来、雪崩に遭遇した時は、雪崩（雪）に埋まらない、押しつぶされないように、「上にあがれ」、が生き残る鉄則です。  しかしながら、緊急事態の折に的確な行動がはたして可能なのか大変難しいです。そこで、雪崩の風圧、風力を利用して、自分自身を浮きがる事が可能であれば、パラシュートで雪に埋まらない事も可能です。また、滑落の際も同様に、瞬時にパラシュートが開き落下スピードが軽減する事により、落下した時の  ダメージを和らげる事が出来るパラシュートは存在していなかった。
【先行技術文献】
【特許文献】
【０００３】
【非特許文献】
【０００４】
【発明の概要】
【発明が解決しようとする課題】
【０００５】
従来、雪崩に遭遇した時、回避する装備、装具は存在し無かった。雪崩（雪）に埋まらない、押しつぶされないように、上にあがれるツールが無かった。また、滑落の際も同様に、瞬時にパラシュートが開き落下スピードが軽減する事により、落下した時の  ダメージを和らげる事が出来るパラシュートは存在していなかった。
本発明は以上のような欠点をなくすために、なされたものである。
【課題を解決するための手段】
【０００６】
本発明は、パラシュート（５）はパラシュート袋（１）に納められ、ワイヤー、引き紐（４）によって開封され外部に放出される。
【発明の効果】
【０００７】
本発明のパラシュート（５）は、パラシュート袋（１）に納められ、一動作で開く。納められていたパラシュートは形状記憶されている素材を使用している事により、大きく広がり雪崩の風圧、風力を利用して、自分自身を浮きがらせる事が可能である。パラシュートで雪に埋まらない事も可能です。また、滑落の際も同様に、瞬時にパラシュートが開き落下スピードが軽減する事により、落下した時の  ダメージを和らげる事が可能である。
【図面の簡単な説明】
【０００８】
【図１】本発明の収納時装着時の後図である。
【図２】本発明の収納時の斜視図である。
【図３】本発明の開放時の斜視図である。
【図４】本発明はパラシュート両側の張りの斜視図
【図５】本発明はパラシュート両側の張りの構造図
【発明を実施するための形態】
【０００９】
以下、本発明を実施するための最良の形態について説明する。
パラシュート（５）は、パラシュートが納められた袋（１）を、一動作で、ワイヤー、引き紐（２）を引き開放する。パラシュートは両側の張り（６）の蝶番（９）に形状記憶（８）されている素材を使用している事により、瞬時に広がる。
本発明は、以上のような構造である。
このエマージェンシー・パラシュートを利用する事により、雪に埋まらない事も可能です。また、滑落の際も同様に、瞬時にパラシュートが開き落下スピードが軽減する事により、落下した時の  ダメージを和らげる事が可能である。
【符号の説明】
【００１０】
１    パラシュート
２    ワイヤー、引き紐パイプ
３    ショルダー
4    ワイヤー、引き紐
５   パラシュート  
６   両側の張り
７   紐
８   形状記憶素材
９   蝶番
【図１】
2013022985.tif 000003
【図２】
2013022985.tif 000004
【図３】
2013022985.tif 000005
【図４】
2013022985.tif 000006
【図５】
2013022985.tif 000007
(57)【要約】      （修正有）【課題】津波による農業分野における土壌環境の汚染土壌の回復を目的とした土壌改良方法を提供する。【解決手段】津波などで破壌された土壌環境をヨーグルト成分と納豆菌と一般的有機肥料（堆肥）を用いて微生物環境を改善すると同時に微生物量を増やすことで土壌に地力を回復させ、さらに微生物量を増やすためヨーグルト成分及び納豆菌成分に含まれる抗菌作用を利用して有効菌の繁殖を促し有害菌を抑制し、放射線量の減少を図る。【選択図】なし【特許請求の範囲】
【請求項１】
本発明は、津波及びその他の災害などで破壊された土壌（水田、畑）環境を回復するための方法である。
先ず、ヨーグルトと納豆菌をミキサーに入れて良く撹拌することでヨーグルトを主成分とした本発明のヨーグルト系土壌改良剤が生成する。本発明の土壌改良方法は、生成した土壌改良剤と一般的有機肥料を破壊された土壌に入れ込み、汚染土壌に添加することで有機物による微生物の繁殖を促し、微生物環境を改善して知力の回復を得る。さらに、ヨーグルト成分と納豆菌（枯草菌）成分による活性作用を利用することで有害菌を抑制し、有効菌の繁殖を促進するなどの汚染土壌改善方法。
【請求項２】
本発明は請求項１に示す作用の実証試験において判明した作用である。ヨーグルト成分をセシウムなど放射線で汚染された土壌及び植物に散布することで放射線による汚染数値の減少効果を得る。などの放射線汚染土壌改善方法である。
【発明の詳細な説明】
【技術分野】
【０００１】本発明は、微生物の活性作用を用いて汚染された土壌環境の改善を目的に開発された方法である。
【背景技術】
【０００２】  背景技術といたしましては、私は７年位前からヨーグルト系農業資材を使った農業を展開しています。要らなくなった牛乳からヨーグルトを生成してヨーグルト系農業資材を作り植物の生育に利用しています。
ヨーグルト成分にはアミノ酸、有機酸、そして抗菌作用の強いペプチド結合成分などを含有しています。したがって、多くの有効成分は多くの効果を得ることができます。これらのヨーグルト成分を使った農業活動の中から本発明が生まれたのである。
特許文献に付きましては、調べましたが本発明に関連した同種の文献はありませんでした。
【発明の開示】
【発明が解決しようとする課題】
【０００３】    現在の日本国内では３月の地震による津波災害で、極めて深刻な災害に見舞われています。特に農業分野では津波による土壌環境の破壊は重大で、もとの稲作及び畑作に復活することは何時の事になるのか、また、土壌内の微生物環境にも深刻な悪影響が考えられます。本発明はこれらの汚染土壌の回復を目的に開発された土壌改良方法である。
【課題を解決するための手段】
【０００４】  特許請求１に示す発明は、津波などで破壊された土壌環境をヨーグルト成分と納豆菌と一般的有機肥料（堆肥）を用いて微生物環境を改善すると同時に微生物量を増やすことで土壌に知力を回復させる方法ある。さらに、微生物量を増やす作用ではヨーグルト成分及び納豆菌成分に含まれる抗菌作用を利用して有効菌の繁殖を促し有害菌の抑制をすることでの土壌微生物環境の改善を得る方法である。
次に、請求項２に示す放射線減少作用では、請求項１、に示す土壌改善方法を一般農地や畑を用いて実証試験を行っている過程から発見した方法である。土壌内に本発明の土壌改良剤を散布して土壌改良を実施していたところ、セシウムの放射線量数値の変化を確認することになり、改めて放射線量数値の高い福島県南相馬市においてヨーグルト成分を用いた放射線減少試験を行いました。ヨーグルトを水に５倍に薄めた区画と１０倍に薄めた区画、さらに、水だけの区画と何もしない区画の４区画を設けて対象試験の方法で行われました。ヨーグルトを５倍に薄めた区画では何もしなかった区画に対して１４４時間経過時において０．５９μシーベルトの減少数値が確認された。さらに、ヨーグルトを水で１０倍に薄めた区画では何も与えなかった区画に対して０．４７μシーベルトの減少数値が確認された。
【発明の効果】
【０００５】  津波で破壊された田畑の土壌内環境回復は重要な課題です。これらの課題解消方法として有機質肥料とヨーグルト成分と納豆菌を利用して微生物活性を促し知力を回復することが最も経費のかからない土壌回復方法である。
【発明を実施するための最良の形態】
【０００６】  先ず、ヨーグルトが入ったミキサーに納豆菌を添加し良く撹拌することでヨーグルト成分を主成分とする土壌改良剤が生成する。
津波などで汚染された水田に有機肥料（堆肥）を散らしてその上から上記で生成したヨーグルト系土壌改良剤を水で薄めて土壌表面に散布する。さらに、トラクターを用いて土壌混合することで初回の土壌改良作業が終了する。本発明の土壌改良作業はこれら一連の作業工程が繰り返し行われることで微生物活性が盛んになると同時にヨーグルト菌及び納豆菌などの作用で有効菌の多い良好な環境が形成され知力が回復することで破壊された土壌環境の改善を得ることができる。
【実施例】
【０００７】  水田表面を整理して、トラクターを用いて土壌混合する。雨の日を待ってもう一度土壌混合する。次に、土壌表面に有機肥料（堆肥）を散らし、その上から本発明のヨーグルト系土壌改良剤を水に薄めて散布して肥料と土壌を混合する。一定の期間経過後、同じ作業を繰り返し行うことで知力の回復を得ることができる。
【産業上の利用可能性】
【０００８】    破壊された農地の回復は避けては通れない作業である。本発明の土壌改良方法は有機質資材とヨーグルト系土壌改良剤を土壌に入れ込み微生物活性を促進することで微生物量を増やすと同時に土壌に知力を得るものである。さらに、これらの方法は最も経済的に安く、効率のよい土壌改良方法である。
(57)【要約】【課題】クッションの中に、小さく硬いボール類（ゴルフボール）を入れることで、ボールの自由な動きによる指圧効果を気軽に得ることができ、また中綿を使うことによりボールの硬さを緩和し、優しく安全なマッサージ具とした、ボール入りマッサージクッションを提供する。【解決手段】クッションカバー（１）の中に、ボール入り袋部（２）を設け、ボール（５）の１つ１つが自由に動けるスペースごとに区切られた構造になっていることを特徴とするボール入りマッサージクッション。【選択図】図１
2013022214.tif 000002
【特許請求の範囲】
【請求項１】
クッションカバー（１）の中に、ボール入り袋部（２）を設け、ボール（５）の１つ１つが自由に動けるスペースごとに区切られた構造になっていることを特徴とするボール入りマッサージクッション。
【発明の詳細な説明】
【技術分野】
【０００１】
本発明は、クッションの中に、小さく硬いボール類（ゴルフボール）を入れることで、ボールの自由な動きによる指圧効果を気軽に得ることができ、また中綿を使うことによりボールの硬さを緩和し、優しく安全なマッサージ具とした、ボール入りマッサージクッションに関するものである。
【背景技術】
【０００２】
ゴルフボールをローラー式に使うマッサージ器具（非特許文献１参照）
ゴルフボール２個を布袋に入れて使うマッサージ具（非特許文献２参照）
【先行技術文献】
【非特許文献】
【０００３】
【非特許文献１】特開平９−１０８２８５公報
【非特許文献２】特開平１１−１１３９９７公報
【発明の概要】
【発明が解決しようとする課題】
【０００４】
従来より、次のような問題点があった。
（イ）ゴルフボールでマッサージしていると、ボールが一定の場所にとどまっておらず転がってしまうことがあった。
（ロ）ボールが硬いため頭部などの使用に不向きであった。
（ハ）ボールを固定した健康器具では、自由に動くボールの特性が生かされていなかった。
本発明は、以上の問題点を解決しようとするものである。
【課題を解決するための手段】
【０００５】
クッションの中にボール入り袋部を設け、ボール１つ１つが自由に動けるスペースごとに区切って縫い目を入れた構造になっている。
以上を特徴とするボール入りマッサージクッションである。
【発明の効果】
【０００６】
ボールをクッションの中に入れることで、どこかへボールが転がってゆく心配もなくなり、またボールを固定していないので、自由に動くボールの指圧効果が期待できる。
中綿がボールの硬さを緩和しているので、頭部から足の裏まで安心して使用できる。
なにより、見た目が良いことでソファーなどに置いて気軽に使用できる。
また、電気を使用する健康器具と違い持ち運びが便利で、車や飛行機など乗り物の中でもマッサージでき、エコノミークラス症候群の予防にも効果が期待できる。
強い刺激がほしい方には中綿なしで使用していただけますし、中綿の量を調節することで、高齢者や病院で運動できない患者さんなどにも優しいマッサージグッズとしての使用が期待できる。
ボール入り袋部は、ボールが自由に動けるスペースごとに区切って縫い目を入れた構造で、クッションの大きさに合わせ、ボール１個〜数個を入れ、ハート型やドーナツ型など自由なデザイン・大きさでの提供が可能である。
【図面の簡単な説明】
【０００７】
【図１】本発明の斜視図である。
【図２】本発明の分解図である。（a）は１クッションカバーの分解図  （b）は２ボール入り袋部の分解図
【図３】本発明の使用状態を示した側面図である。（a）は仰向けで腰をマッサージする図（b）は仰向けで頭をマッサージする図（c）は椅子に座り背中やお尻をマッサージする図（d）は足裏をマッサージする図
【発明を実施するための形態】
【０００８】
（イ）  ボール入り袋部（２）の中にボール（５）を入れ、ボール（５）が自由に動けるスペースごとに区切って縫い目（８）を入れる。
（ロ）  ボール入り袋部（２）の四隅には、固定用ループ（７）を設ける。
（ハ）  クッションカバー（１）は、裏側の四隅に固定紐（６）を設ける。
（ニ）  クッションカバー（１）の一辺には、ファスナー開閉口（３）を設ける。
（ホ）  クッションカバー（１）の中にボール入り袋部（２）を入れ、固定紐（６）を固定用ループ（７）に通し結ぶ。
（へ）  ボール入り袋部（２）を挟むように中綿（４）を上下に入れる。
本発明は、以上の構造よりなっている。
本発明を使用するときは、仰向けになった状態で頭から肩・背中・腰・お尻・大腿部・ふくらはぎなどに置き身体を揺らしマッサージする。中綿（４）が入っていることでボール（５）の硬さが緩和され安心して使用できる。
椅子に座った状態や乗り物の中でも、背中からお尻・大腿部に置いてマッサージできる。また足裏に押し当てれば、足裏マッサージ具としても使用できる。
【符号の説明】
【０００９】
１  クッションカバー
２  ボール入り袋部
３  ファスナー開閉口
４  中綿
５  ボール
６  固定紐
７  固定用ループ
８  縫い目
【図１】
2013022214.tif 000003
【図２】
2013022214.tif 000004
【図３】
2013022214.tif 000005
(57)【要約】【課題】  電磁波によって食品とともに迅速に加熱され、両方が相俟って調理の迅速化を図ることができるとともに直火使用も可能な電子レンジ用耐熱食器を提供する。【解決手段】  珪石、カリ長石及びカリオンからなる陶磁器はい土に、スポジュメン、リチウム長石、マイカ及び鉄粉を混合し水を添加して食器形状に成形し、焼成してなる電子レンジ用耐熱食器、好ましくは、珪石７重量％、カリ長石６重量％、カリオン７重量％、スポジュメン３５重量％、リチウム長石１５重量％、マイカ１０重量％、鉄粉２０重量％からなる電子レンジ用耐熱食器。【選択図】  なし【特許請求の範囲】
【請求項１】
珪石、カリ長石及びカリオンの陶磁器はい土に、スポジュメン、リチウム長石、マイカ及び鉄粉を混合し水を添加して食器形状に成形し、焼成してなることを特徴とする電子レンジ用耐熱食器。
【請求項２】
珪石７重量％、カリ長石６重量％、カリオン７重量％、スポジュメン３５重量％、リチウム長石１５重量％、マイカ１０重量％、鉄粉２０重量％からなることを特徴とする請求項１に記載の電子レンジ用耐熱食器。
【発明の詳細な説明】
【技術分野】
【０００１】
本発明は、電子レンジ用耐熱食器に関する。
【背景技術】
【０００２】
従来、炭化珪素を主材とし、焼結材、低膨張焼結材及び成形保持材、水を添加混合して皿上に成形し、焼成してなる電子レンジ用耐熱皿が提案されている（特許文献１）。
【０００３】
前記電子レンジ用耐熱皿は、電子レンジによる電磁波を受けると皿上の食材が電磁波によって直接加温されると同時に上記皿の炭化珪素の振動による皿の急熱高温化が瞬間的に行われ、食材の焼成時間を短縮し、かつ食材の食味を低下せず、迅速に調理し得る効果がある、としている。
【特許文献１】特許第３６５０３７３号公報
【発明の概要】
【発明が解決しようとする課題】
【０００４】
本発明は、電磁波によって迅速に加熱されて調理の効率化を図ることができるとともに直火使用も可能な電子レンジ用耐熱食器を提供することを目的とする。
【課題を解決するための手段】
【０００５】
前記目的を達成するために、本発明の電子レンジ用耐熱食器は、珪石、カリ長石及びカリオンからなる陶磁器はい土に、スポジュメン（リチウム輝石）、リチウム長石、マイカ（雲母）に鉄粉を混合し水を添加して食器形状に成形し、焼成してなることを特徴とする（請求項１）。
【０００６】
前記本発明の電子レンジ用食器では、珪石は耐火材として、カリ長石は焼成温度を下げる媒溶材として、また、カリオンは成形材として混合される。
【０００７】
また、スポジュメン（リチウム輝石）及びリチウム長石は低膨張材料として混合され、マイカ（雲母）は焼成温度を下げる媒溶材として混合され、鉄粉は発熱材として混合される。
【０００８】
前記請求項１に記載の電子レンジ用耐熱食器は、鉄粉を混合したことにより電磁波によって食品とともに迅速に加熱され、したがって調理の効率化を図ることができるとともに加熱によりひび割れを生じることがなく直火使用も可能である。
【０００９】
本発明の好ましい実施の一形態は、珪石７重量％、カリ長石６重量％、カリオン７重量％、スポジュメン３５重量％、リチウム長石１５重量％、マイカ１０重量％、鉄粉２０重量％よりなる請求項１に記載の電子レンジ用耐熱食器である（請求項２）。
【００１０】
この実施の一形態によれば、前記本発明が目的とする調理の迅速化と直火使用可能な高品質の電子レンジ用耐熱食器を提供することができる。
【発明の効果】
【００１１】
前記本発明の電子レンジ用耐熱食器によれば、鉄粉の混合により電磁波によって食品とともに迅速に加熱され、両方が相俟って調理の効率化を図ることができるとともに直火使用の場合もひび割れが生じることがない効果をえることができる。
【発明を実施するための形態】
【００１２】
以下に、本発明の実施の一形態を説明する。
【００１３】
本発明の電子レンジ用耐熱食器は、珪石、カリ長石及びカリオンの陶磁器はい土に、スポジュメン、リチウム長石、マイカ及び鉄粉を混合し水を添加して食器形状に成形し、焼成して構成される。すなわち、本発明では、発熱材として鉄粉が混合される。
【００１４】
具体的には、陶磁器はい土として、珪石７重量％、カリ長石６重量％、カリオン７重量％が準備され、該陶磁器はい土にスポジュメン３５重量％、リチウム長石１５重量％、マイカ１０重量％及び鉄粉２０重量％を均一に混合し、さらに水を添加して食器形状に成形し、焼成を行ことにより本発明の電子レンジ用耐熱食器が完成する。なお、焼成温度は１２５０℃である。
【００１５】
上記により完成した本発明の電子レンジ用耐熱食器は、電子レンジはもとより直火使用も可能である。
(57)【要約】      （修正有）【課題】箱物仏壇ではなく、単身赴任者やアパート、仮設住宅に住んでいる人たちにも携帯に便利な仏壇を持つことを可能にする。【解決手段】各種仏具を排し、見開き面の一方に各宗派の仏像写真２、文字掛け軸３、もう一方には法名欄５を設け、携帯にも便利な二つ折りとし、壁面や冷蔵庫の側面に張れるように裏面に糊付き貼付紙やマグネット磁石をもうけ、見開き面を閉じると、透明シート部があり、故人の写真を挿入することができる写真フレーム面を有する簡易仏壇。【選択図】図１
2013075132.tif 000002
【特許請求の範囲】
【請求項１】
基台１の表面、裏面を有効に生かし各宗派仏像の写真、文字掛け軸も写真とし、法名欄を設けた仏壇部と写真フレーム部を有する二つ折りできる簡易仏壇。
【請求項２】
請求項１の基台１の裏面に、磁石または粘着紙により壁面に貼れることを可能にする簡易仏壇。
【請求項３】
請求項１の基台の見開き面の下部に蓮の花片がデザインされている簡易仏壇。
【発明の詳細な説明】
【技術分野】
【０００１】    本発明は宗教用具の仏壇に属し、机上に置いたり、掛け仏壇として使用できる。
【背景技術】
【０００２】    従来の仏壇は箱物を作り、それに仏様の掛け軸や六字名号、仏具を設置する種類が多くある。
【先行技術文献】
【０００３】
【特許文献１】  特許公報（Ｂ２）−４１７０７２１号
【特許文献２】  特開２００６−２５５２２２号公報  みなし取り下げ
【特許文献３】  実開平６−２４５  拒絶審査
【発明の概要】
【発明が解決しようとする課題】
【０００４】    箱物仏壇でなく死者や魂となった人々にとって本当に必要とする部分は、どの部分であるかと考えた。例えば、被災され仮設住宅に住んでいる場合とても狭い。また、年金生活者や無収入の人も多い。親戚にお世話になっている人もいる。単身で地元を離れている人もいる。しかし身内を亡くした人達は魂となった人を切実に、朝夕に拝んで対話したい。そして自分の心も落ち着かせたい。そのような方々に使ってもらいたい。
【課題を解決するための手段】
【０００５】    本発明は、持ち運びに便利なように二つ折りにし、見開き面の一方に仏像の写真と六字名号の写真、もう一方には、法名と年・月・日を記入し貼付する。一度に３人も亡くされた方も居られたので法名欄を広くしてあります。
見開き面の下部に、極楽の象徴である蓮の花弁を並べました。魂は全て極楽へ行ってほしいとの願いをこめてある。
【発明の効果】
【０００６】    本発明は、携帯に便利なように、軽くかさ張らずにバックにも入れて持ち運びが可能である。壁面や冷蔵庫の側面に張れるように裏面に糊付き貼付紙やマグネット磁石をもうけた。
見開き面を閉じると、透明シート部があるので、故人の写真を挿入することができる。透明シート部は、左右どちらからでも挿入できるようになっている
見開き面は、仏壇の内部のように金箔張りのフイルムを貼り仏様と六字名号、法名が、映えるようにし下部の蓮の花もホログラムを使用、小さく軽い仏壇であっても拝む行為を大切にする。
裏面も光る素材のフイルムを使用し、写真を挿入して部屋に飾っても心が落ち着き、上記課題を解決する。【０００７】    箱物でなく、薄く軽い基台に、内面は金張りのフイルム、裏面も光る素材を用いて二つ折りとし高齢者にも負担にならない荷重にする。机上に開いてもよいし、写真を挿入して壁や冷蔵庫の側面にも設置し、写真フレームとして使用も可能である。
【図面の簡単な説明】
【０００８】
【図１】本件発明の見開き図
【図２】本件発明の裏面図
【図３】本件発明の写真フレームとしての使用例
【発明を実施するための形態】
【０００９】  試作では、お寺の屋根をイメージしての山形や、折りたたみ方にも三つ折り、観音開きなども作ったが、安定性や保持に問題点があった。最終的に必要なのは、仏様の写真と六字名号と言う掛け軸、そして、法名だけとなり、上記の形式に決定する。試作では、薄くて軽い素材の表裏にフイルムを貼り、仏様と文字の写真、無記名の法名紙の貼付とした。
【産業上の利用可能性】
【００１０】  本発明を商品化しようとする場合、大量生産には印刷技術と写真技術等と二つ折りにする機能のある機械があれば、安価できちんとした商品が製造可能である。
【実施例】
【００１１】  机上や棚に見開き面が見えるようにおき、自己のやり方で参拝する。壁面や冷蔵庫に貼付してある場合、写真面を開くと仏像写真と法名が現れるので、やはり自己のやり方で参拝する。お参りの後、写真面を見せるようにしておけば普通の写真フレームの形態となる。
【符号の説明】
【００１２】１    基板
２    仏像写真
３    六字名号写真
４    蓮の花片
５    法名欄
６    透明フイルム
７    磁石、又は粘着紙
８    故人の写真
９    折り線
【図１】
2013075132.tif 000003
【図２】
2013075132.tif 000004
【図３】
2013075132.tif 000005
(57)【要約】【課題】エプロンやユニフォームのポケットに入れて使用することで、ポケットの中の文具や小物類を整理できる、ポケットインポケットを提供する。【解決手段】布製の袋状のポーチに、小物類を入れる小さなポケットを設けたことを特徴とするポケットインポケット。【選択図】図３
2013075134.tif 000002
【特許請求の範囲】
【請求項１】
布製の袋状のポーチの片側に、小物用のポケットを設け、エプロンやユニフォームのポケットに入れて使用することでポケット内を整理できることを特徴とするポケットインポケット。
【発明の詳細な説明】
【技術分野】
【０００１】本発明は、エプロンやユニフォームのポケットに入れて、ポケット内の文具・小物類を整理するためのポケット用ポーチに関するものである。
【背景技術】
【０００２】従来、ポケット用のペンケースがあった。
【発明の概要】
【発明が解決しようとする課題】
【０００３】それには次のような問題点があった。
（イ）革製で硬さがあり、底の部分で縫い合わせている構造のために入り口部分から底の部分にかけて狭くなっており、ペン類を押し込むように差し込まなければならず、使いにくさを感じた。
（ロ）小物類を入れる小さなポケットが付いていないため、印鑑やリップクリーム、目薬などの小さな小物は入れることができなかった。
本発明は、以上の問題点を解決するためのものである。
【課題を解決するための手段】
【０００４】柔らかさがあり型崩れしにくい、キルティングやラミネート加工の布地を使用する。
ポーチの口の部分は広く開いたままの形で、底の部分には縫い合わせを設けず、ペン類を差し込まずにポンポンと入れることができるようにする。
ポーチの中には仕切りを設けず、ハサミ・定規・メモ帳などの文具も入れることができるようにする。
ポーチの正面片側に小物用の小さなポケットを設けて、ペン類と小物類を分けて収納できるようにする。
以上を特徴とするポケットインポケットである。
【発明の効果】
【０００５】ポケットにポンポンと物を入れることができ、ペン類と小物類を分けて収納できるため、ポケットの中が整理される。
ペンやマジック等による、ポケットのインク汚れを防げる。
エプロンやユニフォームを着替える際には、ポーチごと中身を移動できるため、移し換えが簡単で移し忘れも防げる。
【図面の簡単な説明】
【０００６】
【図１】本発明の使用状態の正面図
【図２】本発明の背面図
【図３】本発明の斜視図
【発明を実施するための形態】
【０００６】以下、本発明の実施の形態について説明する。
（イ）キルティングまたはラミネート加工の布地で袋状のポーチ（２）を作製する。キルティング生地を使用する場合は、入り口部分に厚みが出ないよう、バイアステープ（１）で始末する。
（ロ）ポーチの高さは、ペン類が全て隠れない長さとし、横幅はペン類が真横に倒れない幅とする。
（ハ）ポーチの片側に小さなポケット（３）を設けて、印鑑等の小物が入るようにする。
本発明は以上のような構造で、これを使用する時は、エプロン・ユニフォームのポケットにこのポーチを入れ、ペン類（４）・ハサミ（５）・定規（６）等は（８）の部分へ入れて、印鑑・リップクリーム・目薬等の小さな小物（７）は（９）の部分へ入れて使用する。
ポーチの横幅をペンの長さより狭くしていることにより、ペン類はポンポンと入れるだけでも真横に倒れてしまうことはないが、入り口部分の厚みを少なくしているため、ペン類をポーチの縁に挟んで使用することもできる。
【符号の説明】
【０００７】    １  バイアステープ
２  袋状のポーチ
３  小物用ポケット
４  ペン
５  ハサミ
６  定規
７  印鑑等の小物
８  文具類を入れる部分
９  小物類を入れる部分
【図１】
2013075134.tif 000003
【図２】
2013075134.tif 000004
【図３】
2013075134.tif 000005
(57)【要約】【課題】近年、火災の多様化が進んでいる中で、消火剤の性能も上げなくてはならないが、初期消火を目的として製造・販売されているにも関わらず、消火器は訓練を充分に受けていない一般人が使用出来ない場合が多い。【解決手段】消火範囲及び消火能力を向上させた、消火剤を製造する。また、本発明により、従来の消火器やエアゾール消火用具、衝撃で割れる樹脂等の容器に充てんして、火元に投げ割り消火する消火用具への用途と多品目に使用する事ができる。【特許請求の範囲】
【請求項１】
消火器及び消火用具に入れる消火剤の製造方法であって、５０℃から６０℃のお湯に塩化ナトリウム１５ｇから２５ｇを入れて溶解する工程と、リン酸二アンモニウムを１００ｇから１５０ｇ入れて溶解する工程と、炭酸水素ナトリウムを５０ｇから８０ｇを入れて溶解する工程と、混合した薬液を８５℃から９０℃の温度で２０分から３０分の間保つ工程と、尿素を５０ｇから７０ｇ入れて溶解する工程と、硫酸アンモニウムを９０ｇから１１０ｇ入れて溶解して、全体量を６００ｍｌとする工程を備えることを特徴とする消火剤の製造方法。
【請求項２】
更に凝固点降下剤として、エチレングリコール８０ｍｌから１２０ｍｌを入れる工程を備えることを特徴とする請求項１の消火剤の製造方法。
【請求項３】
更に石油類火災に効果を示す水成膜消火剤を２０ｍｌから４０ｍｌを入れる工程を備える事を特徴とする請求項２の消火剤の製造方法。
【発明の詳細な説明】
【技術分野】
【０００１】本発明は消火剤の製造方法に関する。
【背景技術】
【０００２】消火剤成分は、さまざまな組成物により構成されている。
例えば、特開２００１−３７９０１号では、尿素、塩化ナトリウム、無水炭酸ソーダ、硫酸アンモニウムなどが開示されている。【０００３】しかし、その製造方法は、各社がノウハウとして公開されていない。
本発明は、消火剤の製造方法について開示することにした。
【先行技術文献】
【特許文献】
【特許文献】特開２００１−３７９０１号
【発明の概要】
【発明が解決しようとする課題】
【０００４】近年、火災の多様化が進んでいる中で、消火剤の性能も上げなくてはならないが、初期消火を目的として製造・販売されているにも関わらず、消火器は訓練を充分に受けていない一般人が使用出来ない場合が多い。
【課題を解決するための手段】
【０００５】本発明は、消火剤の消火性能を上げることにより、例えば衝撃で簡単に割れる容器に６００ｍｌ程度の消火剤を充填して、火災時に火元に投げて容器を破壊して消火剤を散布させるという、訓練を必要としない消火用具に使用出来るので、より早く初期消火を完結出来る。
この場合の対象火災はＡ火災（紙・木等）とＢ火災（石油類火災）である為、従来の投てき型消火用具のようにＡ火災のみ消火できる物よりも、応用範囲が広くなるので、より完璧な初期消火を完了することができる。【０００６】この場合、重量も７００ｇから８００ｇと比較的に軽量なので遠投が出来て、火元から安全な距離を取ることが可能である。
【発明の効果】
【０００７】本発明の方法によれば、人畜に影響のない安全な消火剤を提供することが出来る。
また、溶液を８５℃から９０℃の温度で１５分から２５分保つ工程により、消火に不要な量の炭酸ガス・アンモニアを排出でき、消火器や樹脂容器に充填した場合に、周囲温度の影響で内圧が上昇して容器を破損するなどの事故を防げて安全である。
この場合、消火に有効な炭酸ガス・アンモニアは残存する
【実施例】
【０００８】リン酸二アンモニウムと炭酸水素ナトリウムの混合物は、消火の際、火災の熱に反応して炭酸ガスとアンモニアに分解される。炭酸ガスは燃焼物と空気中の酸素が結合するのを阻害し、アンモニアは冷却効果で燃焼物の温度を降下させると共に、アルカリ性の性状を持つので、燃焼物の酸化を中和して消火することが可能となる。
また、塩化ナトリウムは、リン酸二アンモニウムと炭酸水素ナトリウムの反応を促進する触媒作用と、消火剤の凝固点を降下させる作用がある。
尿素は燃焼物表面の表面張力を小さくし、消火剤を浸透させる効果を有する。
硫酸アンモニウムは、木材や紙などの発火点を上昇させる効果を有するので、消火後の再燃焼を防止することが出来る。【０００９】本発明により製造した消火剤６００ｍｌを、衝撃で破壊する樹脂容器に充填して、消防法で定められたＡの第二模型（別図１）を使用して消火実験を行ったところ、２本で完全に消火出来た。この模型を水バケツで消火する場合は、２４Ｌの水を必要とする。
よって、本発明の消火剤を使用することで、水の約２０倍の消火効果を得ることが確認された。【００１０】本発明により製造した消火剤６００ｍｌを、衝撃で破壊する樹脂容器に充填して、消防法で定められたＢの第一模型（別図２）を使用したガソリン消火実験を行ったところ、１本で完全に消火できた。【００１１】本発明により製造した消火剤６００ｍｌを、衝撃で破壊する樹脂容器に充填した物を４０℃の雰囲気中に入れて２４時間放置したあとに、−２０℃の雰囲気中に２４時間放置し、常温の２０℃に２４時間放置した。
各温度で２時間毎に容器の状態を観察したところ、容器の膨張、消火剤の凍結による割れ、変形等は確認されなかった。
通常、消火用具の使用温度範囲は−２０℃から４０℃とすることが望ましいので、本発明により製造した消火剤は、この条件を満たしていることが確認出来た。
【産業上の利用可能性】
【００１２】本発明により製造された消火剤は、消火器やエアゾール式消火用具、衝撃で割れる樹脂等の容器に充填して、火元に投げ割り消火する消火用具に使用される。
(57)【要約】【課題】スライドファスナーの閉め忘れを使用者に気付かせる手段を提供する。【解決手段】衣類に取り付けられたファスナーテープ１にファスナーエレメント３と、スライダー２と下止５が取り付けられている。スライダー２と下止５は弾性部材４にて結合されている。弾性部材４は前記スライダー２が全閉時の位置にあるとき、ファスナーテープ１に沿って真っすぐになるように構成されており、前記スライダー２を開方向にスライドさせると、スライドにあわせて前記弾性部材４が変形することにより使用者に違和感を与える、若しくはスライドファスナーを取り付けた衣類を着用している場合、前記弾性部材が変形して体に当たることによってスライドファスナーが閉じていないことを使用者がわかるようになる。【選択図】図１
2013255610.tif 000002
【特許請求の範囲】
【請求項１】
物品または衣類に取り付けられるスライドファスナー構造であって、ファスナーエレメントと下止を有したファスナーテープと、前記ファスナーエレメントを嵌着するスライダーと、前記スライダー及び前記下止を結合している弾性部材とからなる、構成のスライドファスナー構造において、前記弾性部材は前記スライダーが全閉時の位置、にあるとき、ファスナーテープに沿って真っすぐになるように構成されており、前記スライダーを開方向にスライドさせると、スライドに合わせて前記弾性部材が変形することにより使用者に違和感を与え、スライドファスナーが閉じていないことを使用者がわかるようになることを特徴とする、スライドファスナー構造。
【請求項２】
前記弾性部材は弾力性のある素材からなることを特徴とする、請求項１に記載のスライドファスナー構造。
【発明の詳細な説明】
【技術分野】
【０００１】
本発明は、使用者がスライドファスナーを閉め忘れていることを感知できるスライドファスナー構造であって、該構造は、スライドファスナー部品や衣類（例えば、ズボンの開口部）に組み込まれているか取り付けられており、スライドファスナーの閉め忘れを使用者に気付かせるのに役立つ前記構造に関する。
【背景技術】
【０００２】
スライドファスナーが衣類に多く使われているが、開けた後に閉め忘れることがあってもそれを使用者に気付かせるような機構がない。
【発明の概要】
【発明が解決しようとする課題】
【０００３】
解決しようとする問題点は、スライドファスナーの閉め忘れを使用者が気付く手段がないことである。
本発明はこのような問題点を解決しようとするもので、スライドファスナーの閉め忘れを気付く手段を使用者に提供する、ことを目的としたものである。
【課題を解決するための手段】
【０００４】
本発明は、物品または衣類に取り付けられるスライドファスナー構造であって、ファスナーエレメントと下止を有したファスナーテープと、前記ファスナーエレメントを嵌着するスライダーと、前記スライダー及び前記下止を結合している弾性部材とからなる、構成のスライドファスナー構造である。前記弾性部材は前記スライダーが全閉時の位置、にあるとき、ファスナーテープに沿って真っすぐになるように構成されており、前記スライダーを開方向にスライドさせると、スライドに合わせて前記弾性部材が変形することにより使用者に違和感を与え、スライドファスナーが閉じていないことを使用者がわかるようになることを特徴とする、スライドファスナー構造である。
【０００５】
また、本発明は前記弾性部材が弾力性のある素材からなることを特徴とするスライドファスナー構造でもある。
【発明の効果】
【０００６】
上記課題解決手段による効果は次の通りである。スライダーを開方向にスライドするとスライダーの位置に合わせて、弾性部材が変形することにより使用者に違和感を与える、若しくは使用者がスライドファスナーを取り付けた衣類を着用している場合、前記弾性部材が変形して体に当たることによってスライドファスナーが閉じていないことを使用者がわかるようになる。
【図面の簡単な説明】
【０００７】
【図１】本発明の実施例のうち、ファスナーエレメントが途中まで開いた位置にある状態を示した図である。
【図２】本発明の実施例のうち、ファスナーエレメントが全閉時の位置にある状態を示した図である。
【発明を実施するための形態】
【０００８】
本発明の実施例を図１および図２に基づき説明する。図１と図２はどちらもスライドファスナーの構造を説明する図である。
図１において、ファスナーテープ１に、ファスナーエレメント３と下止5が固着されており、ファスナーエレメント３をスライダー２にて嵌着、並びに離間させることでファスナーの機能が生じるものである。該ファスナーテープ１はズボンの前開きとして取り付けられており、スライダー２と下止５は弾性部材４にて結合されている。
【０００９】
図１はスライダー２が途中まで開いた状態であり、該スライダー２の位置に合わせて、弾性部材４が変形した状態を表している。
図２においては図１と同じ構成となるが、スライダー２が全閉時の位置にある状態を表している。図１で示していたファスナーエレメント３は図２では隠れた状態となっているため図示していない。
【００１０】
図２の状態の時、弾性部材４がファスナーテープ１に沿って真っすぐになるような長さに調整されているため、該ズボンを着用している使用者が弾性部材４に対して特別に違和感を覚えることはない。しかし、使用者がスライダー２を開方向にスライドした場合、図１の状態になり、弾性部材４が変形していることにより違和感を覚え、スライドファスナーが閉じていないことを認識することになる。
【００１１】
弾性部材４については図２の状態が安定した形状を保っている状態となり、スライダー２をスライドしたことによって変形した後でも、スライダー２に対する力を加えるのをやめると図２の状態に戻ろうとする力が働くような弾力性のある材質のものが望ましい。例えばプラスチックが適するが、弾力性のある材質であればプラスチックでなくてもよい。
【符号の説明】
【００１２】
１  ファスナーテープ
２  スライダー
３  ファスナーエレメント
４  弾性部材
５  下止
【図１】
2013255610.tif 000003
【図２】
2013255610.tif 000004
(57)【要約】【課題】歯を磨く時、歯だけでなく、口内全体の衛生を保つため、舌も掃除する機能を設けた舌掃除付き歯ブラシを提供する。【解決手段】歯ブラシの一部分に舌掃除のできる部分を設けた舌掃除付き歯ブラシを特徴とする。【選択図】図１、図３
2013255766.tif 000002
【特許請求の範囲】
【請求項１】
歯ブラシの一部分に舌掃除の機能を設けた舌掃除付き歯ブラシ。
【発明の詳細な説明】
【技術分野】
【０００１】この発明は、舌掃除付き歯ブラシに関するものである。
【背景技術】
【０００２】従来、別々の舌掃除用品と歯ブラシを一体化したものである。
【先行技術文献】
【０００３】
【特許文献１】
【非特許文献１】
【発明の概要】
【０００４】これは次のような欠点があった。
（イ）歯ブラシだけでは口の中の衛生は不十分である。
（ロ）舌掃除と歯みがきが別々に行われているのは合理的ではない。
本発明品は、以上のような欠点をなくすためになされたものである。
【課題を解決するための手段】
【０００５】歯ブラシの一部分に舌掃除のできる部分をつける。
本発明は、以上の構成よりなる舌掃除付き歯ブラシである。
【発明の効果】
【０００６】（イ）歯磨きと舌掃除が一緒にできる。
（ロ）口内の衛生が保たれる。
【図面の簡単な説明】
【０００７】
【図１】本発明の斜視図である
【図２】本発明の正面図である。
【発明を実施するための形態】
【０００８】以下、本発明を実施するための形態について説明する。
歯ブラシの一部分に舌の掃除のできる部分を設ける。
これにより、１本の歯ブラシで歯磨きと舌掃除がセットになり口内の衛生が保たれる。
【符号の説明】
【０００９】１  歯ブラシ（一部分を舌掃除のできる形に変えた）
【図１】
2013255766.tif 000003
【図２】
2013255766.tif 000004
【手続補正書】
【提出日】平成24年7月10日(2012.7.10)
【手続補正１】
【補正対象書類名】明細書
【補正対象項目名】全文
【補正方法】変更
【補正の内容】
【発明の詳細な説明】
【技術分野】
【０００１】この発明は、舌掃除付き歯ブラシに関するものである。
【背景技術】
【０００２】従来、別々の舌掃除用品と歯ブラシを一体化したものである。
【先行技術文献】
【０００３】
【特許文献１】
【非特許文献１】
【発明の概要】
【０００４】これは次のような欠点があった。
（イ）歯ブラシだけでは口の中の衛生は不十分である。
（ロ）舌掃除と歯みがきが別々に行われているのは合理的ではない。
本発明品は、以上のような欠点をなくすためになされたものである。
【課題を解決するための手段】
【０００５】歯ブラシの一部分に舌掃除のできる部分をつける。
本発明は、以上の構成よりなる舌掃除付き歯ブラシである。
【発明の効果】
【０００６】（イ）歯磨きと舌掃除が一緒にできる。
（ロ）口内の衛生が保たれる。
【図面の簡単な説明】
【０００７】
【図１】本発明の１斜視図である
【図２】本発明の１正面図である。
【図３】本発明の２斜視図である
【図４】本発明の２側面図である。
【発明を実施するための形態】
【０００８】以下、本発明を実施するための形態について説明する。
歯ブラシの一部分に舌の掃除のできる部分を設ける。
これにより、１本の歯ブラシで歯磨きと舌掃除がセットになり口内の衛生が保たれる。
【符号の説明】
【０００９】１  歯ブラシ（一部分を舌掃除のできる形に変えた）
【手続補正３】
【補正対象書類名】図面
【補正対象項目名】図３
【補正方法】追加
【補正の内容】
【図３】
2013255766.tif 000005
【手続補正４】
【補正対象書類名】図面
【補正対象項目名】図４
【補正方法】追加
【補正の内容】
【図４】
2013255766.tif 000006